(57)【要約】【課題】ベース部材を開いた時のベース部材の球受け皿と本体枠の球送り装置との間における遊技球のこぼれ落ちを確実に防止できる弾球遊技機を提供する。【解決手段】本体枠３に発射装置１２とこれに遊技球Ｐを送り出す球送り装置４００とを備え、ベース部材４に球送り装置を介して発射装置に遊技球を供給する球受け皿１１０を備えた弾球遊技機１で、球送り装置と対向するベース部材の対向面側にシャッタ部５１０を有しベース部材を開放した時に遊技球を抑える遊技球落下防止シャッタ５００が設けられ、本体枠におけるシャッタ部と対向する位置に球送り装置において遊技球を受け入れる受入孔４１１を有する遊技球受入部４１０が配置され、そのベース部材との対向面側にベース部材を閉じたときにシャッタ部が入り込む凹部４１２が設けられ、ベース部材が開放されつつある時シャッタ部がベース部材の開放度合いに連動して凹部から徐々に抜けつつ閉状態に移動する。【選択図】図１８
2014230721.tif 000002
【特許請求の範囲】
【請求項１】
本体枠と、該本体枠に対して開閉可能に取り付けられたベース部材と、を備え、
前記本体枠に、遊技球を遊技領域に向けて発射する発射装置と、該発射装置に遊技球を１つずつ送り出す球送り装置と、を備え、
前記ベース部材に、遊技球を貯留すると共に前記球送り装置を介して前記発射装置に遊技球を供給する球受け皿を備えた弾球遊技機において、
前記球送り装置と対向する前記ベース部材の対向面側に、前記本体枠に対して前記ベース部材を開放したときに、前記球受け皿から供給される遊技球を抑える遊技球落下防止シャッタが設けられており、
該遊技球落下防止シャッタは、遊技球と接触するシャッタ部を有しており、
前記本体枠における前記シャッタ部と対向する位置に、前記球送り装置において前記球受け皿から供給された遊技球を受け入れる受入孔を有する遊技球受入部が配置されており、
該遊技球受入部の前記ベース部材との対向面側には、前記本体枠に対して前記ベース部材を閉じたときに、前記シャッタ部が入り込む凹部が設けられており、
前記本体枠に対して前記ベース部材が閉じられているときには、前記シャッタ部が、前記凹部に入り込み、かつ、開状態にあって遊技球が通過可能となっており、
前記本体枠に対して前記ベース部材が開放されつつあるときには、前記シャッタ部が、前記ベース部材の開放度合いに連動して、入り込んだ前記凹部から徐々に抜けつつ開状態から閉状態に移動していき、
前記本体枠に対して前記ベース部材が開放されたときには、前記シャッタ部が、前記凹部から抜け、かつ、閉状態にあって遊技球が通過不可能となることを特徴とする弾球遊技機。
【発明の詳細な説明】
【技術分野】
【０００１】
本発明は、弾球遊技機に関し、特に、ベース部材に設けられた球受け皿から本体枠に設けられた球送り装置を介して発射装置に遊技球が１つずつ送り出される弾球遊技機に関するものである。
【背景技術】
【０００２】
従来、パチンコ遊技機等の弾球遊技機としては、本体枠とこの本体枠に対して開閉可能に取り付けられたベース部材を有しており、本体枠に遊技球を遊技領域に向けて発射する発射装置を備えており、ベース部材に球受け皿とこの球受け皿から供給された遊技球を発射装置に送り出す球送り装置を備えているものが知られている（例えば、特許文献１参照。）。
【０００３】
これに対し、球送り装置から発射装置への遊技球の送り出しをスムーズにするために、球送り装置をベース部材ではなく本体枠に設けるようにしたものが提案されている。
【先行技術文献】
【特許文献】
【０００４】
【特許文献１】特開２０１２−７０９４１号公報
【発明の概要】
【発明が解決しようとする課題】
【０００５】
しかしながら、前記したような、球送り装置をベース部材から本体枠に移した弾球遊技機では、これに伴い、ベース部材における球受け皿から連通する通路と本体枠の球送り装置とが対向する位置のベース部材側に、メンテナンス等で本体枠に対してベース部材を開いたときにベース部材側から遊技球がこぼれ落ちることを防止するためのシャッタ等の遊技球落下防止手段を設ける必要が生じるようになった。
【０００６】
本発明は、このような事情に鑑みてなされたものであり、本体枠に対してベース部材を開いたときの、ベース部材の球受け皿と本体枠の球送り装置との間における遊技球のこぼれ落ちを確実に防止することができる弾球遊技機を提供することを目的とする。
【課題を解決するための手段】
【０００７】
かかる課題を解決するために、本発明の請求項１に記載の発明は、本体枠と、該本体枠に対して開閉可能に取り付けられたベース部材と、を備え、前記本体枠に、遊技球を遊技領域に向けて発射する発射装置と、該発射装置に遊技球を１つずつ送り出す球送り装置と、を備え、前記ベース部材に、遊技球を貯留すると共に前記球送り装置を介して前記発射装置に遊技球を供給する球受け皿を備えた弾球遊技機において、前記球送り装置と対向する前記ベース部材の対向面側に、前記本体枠に対して前記ベース部材を開放したときに、前記球受け皿から供給される遊技球を抑える遊技球落下防止シャッタが設けられており、該遊技球落下防止シャッタは、遊技球と接触するシャッタ部を有しており、前記本体枠における前記シャッタ部と対向する位置に、前記球送り装置において前記球受け皿から供給された遊技球を受け入れる受入孔を有する遊技球受入部が配置されており、該遊技球受入部の前記ベース部材との対向面側には、前記本体枠に対して前記ベース部材を閉じたときに、前記シャッタ部が入り込む凹部が設けられており、前記本体枠に対して前記ベース部材が閉じられているときには、前記シャッタ部が、前記凹部に入り込み、かつ、開状態にあって遊技球が通過可能となっており、前記本体枠に対して前記ベース部材が開放されつつあるときには、前記シャッタ部が、前記ベース部材の開放度合いに連動して、入り込んだ前記凹部から徐々に抜けつつ開状態から閉状態に移動していき、前記本体枠に対して前記ベース部材が開放されたときには、前記シャッタ部が、前記凹部から抜け、かつ、閉状態にあって遊技球が通過不可能となる弾球遊技機としたことを特徴とする。
【０００８】
請求項１に係る発明によれば、球送り装置と対向するベース部材の対向面側に、本体枠に対してベース部材を開放したときに球受け皿から供給される遊技球を抑え、シャッタ部を有する遊技球落下防止シャッタが設けられており、本体枠の球送り装置におけるシャッタ部と対向する位置に、遊技球を受け入れる受入孔とベース部材を閉じたときにシャッタ部が入り込む凹部を有する遊技球受入部が配置されており、シャッタ部が、ベース部材の開放度合いに連動して、入り込んだ凹部から徐々に抜けつつ開状態から閉状態に移動していくようになっているため、本体枠に対するベース部材の開放度合いが小さくてシャッタ部が閉じきらないときに、シャッタ部が遊技球受入部の凹部に入り込むようになっていることで、シャッタと球送り装置との間に遊技球が通過可能な隙間を形成しないようにして、遊技球のこぼれ落ちを確実に防止することができる。
【図面の簡単な説明】
【０００９】
【図１】本発明の実施の形態におけるパチンコ遊技機の正面図である。
【図２】同パチンコ遊技機の背面図である。
【図３】同パチンコ遊技機の前枠を開けて遊技盤を取り外した状態の右斜視図である。
【図４】同パチンコ遊技機の下皿ユニット及びボタンユニットを取り外した状態の下部拡大正面図である。
【図５】同パチンコ遊技機の球送り装置の正面図である。
【図６】同パチンコ遊技機の球送り装置の背面図である。
【図７】同パチンコ遊技機の球送り装置の右側面図である。
【図８】同パチンコ遊技機の球送り装置の上面図である。
【図９】同パチンコ遊技機の球送り装置の球送りソレノイドがＯＮ状態時の正面図である。
【図１０】同パチンコ遊技機の球送り装置の球送りソレノイドがＯＮ状態時の背面図である。
【図１１】同パチンコ遊技機の前枠の背面図である。
【図１２】図１１のＣ部拡大図である。
【図１３】中枠に対して前枠を閉じた状態における図１１のＣ部拡大図である。
【図１４】中枠に対して前枠を閉じた状態における図４のＡ−Ａ断面図である。
【図１５】中枠に対して前枠を閉じた状態における図４のＢ−Ｂ断面図である。
【図１６】中枠に対して前枠を開放しかけた状態における図４のＡ−Ａ断面図である。
【図１７】中枠に対して前枠を開放しかけた状態における図４のＢ−Ｂ断面図である。
【図１８】中枠に対して前枠を開放しかけた状態における球送り装置の遊技球受入部の凹部と遊技球落下防止シャッタのシャッタ部の関係を示す概略平面図である。
【発明を実施するための形態】
【００１０】
以下、本発明の実施の形態における弾球遊技機として、パチンコ遊技機を例にして図面を参照しながら説明する。なお、以下の説明では、パチンコ遊技機を遊技者から見て、手前側をパチンコ遊技機の前側（前面側）とし、奥側をパチンコ遊技機の後側（後面側）として、前後方向を規定する。また、パチンコ遊技機を遊技者から見て、左手側をパチンコ遊技機の左側とし、右手側をパチンコ遊技機の右側として、左右方向を規定する。
【００１１】
まず、本実施の形態のパチンコ遊技機の概略構成について、図１〜図４を用いて説明する。図１〜図３に示すように、本実施の形態のパチンコ遊技機１は、主として、外枠２と、本体枠としての中枠３と、ベース部材としての前枠４と、により構成される枠体に、各種の遊技部品が取り付けられて形成されている。
【００１２】
外枠２は、図３に示すように、パチンコ遊技機１の外郭を成し、前後面が開口された略四角筒状に形成される枠体であり、パチンコホール等の遊技場に設けられた台島に設置されている。また、この外枠２には、中枠３が取り付けられている。
【００１３】
中枠３は、図３に示すように、前後面が開口された略四角筒状に形成される枠体であり、外枠２の前側の開口部に、中枠取付用ヒンジを構成する中枠用上ヒンジ３Ａ及び中枠用下ヒンジ３Ｂを介して外枠２に対して開閉可能に取り付けられている。また、図１に示すように、この中枠３には、前枠４と、下皿ユニット５と、遊技盤６と、が取り付けられている。
【００１４】
前枠４は、図１に示すように、中央が開口された枠体であり、正面視で中枠３の下部を除く略全面に渡って配置されており、中枠３の前側の開口部に、前枠取付用ヒンジを構成する前枠用上ヒンジ４Ａ及び前枠用下ヒンジ４Ｂを介して中枠３に対して開閉可能に取り付けられている。前枠４の中央には、正面視で略円形状の前枠開口部７が形成されている。この前枠開口部７は、ガラス又はアクリル等の透明板８により被覆されている。また、前枠開口部７の下方には、上皿ユニット１００が配設されており、ここに、後述する賞球払出装置１６を介して払い出される賞球や貸球を受けて貯留し、当該遊技球を発射装置１２に導く球受け皿としての上皿１１０が配置されている。
【００１５】
下皿ユニット５は、図１に示すように、中枠３の下部であって前枠４の下方に取り付けられている。この下皿ユニット５の中央部の左側には、上皿１１０から溢れた遊技球が貯留される下皿１０が配設されている。また、下皿ユニット５の右部であって下皿１０の右方には、上皿１１０に貯留された遊技球を後述する遊技領域６Ａに発射するために遊技者が操作する操作ハンドル２００が配設されている。さらに、下皿ユニット５の左部であって下皿１０の左方には、図示しない球貸制御装置を操作する球貸操作部５Ａが設けられ、各操作ボタン５Ｂ，５Ｃが配置されている。
【００１６】
また、図１に示すように、中枠３における操作ハンドル２００の上方には、中枠３及び前枠４を施錠する施錠装置を操作するための鍵挿入部３Ｃが設けられている。そして、前枠４を開く際には、この鍵挿入部３Ｃに所定のキーを挿入して所定方向（例えば左方向）に回せば、施錠装置における前枠４のロック状態が解除されて、前枠用上ヒンジ４Ａ及び前枠用下ヒンジ４Ｂを軸にして、前枠４のみを開くことができるようになっている。また、中枠３を開く際には、この鍵挿入部３Ｃに所定のキーを挿入して別の所定方向（例えば右方向）に回せば、施錠装置における中枠３のロック状態が解除されて、中枠用上ヒンジ３Ａ及び中枠用下ヒンジ３Ｂを軸にして、前枠４と一体に中枠３を開くことができるようになっている。
【００１７】
遊技盤６は、図１に示すように、遊技球が転動する領域である遊技領域６Ａが形成される部材である。遊技盤６は、前枠４の後方であって、正面視で中枠３の下部を除く略全面に渡って着脱可能に取り付けられている。また、遊技盤６の遊技領域６Ａは、前枠４の前枠開口部７の後方に配置され、前方から透明板８を介して視認可能に構成されている。なお、遊技領域６Ａには、液晶表示器やＣＲＴなどの表示装置や、入賞装置、多数の遊技釘等が設けられているが、ここでは図示を省略している。
【００１８】
また、図４に示すように、中枠３における下皿ユニット５の中央部右側（上皿１１０の後方右側）には、遊技球を遊技領域６Ａへ向けて発射する発射装置１２が設けられている。また、中枠３における発射装置１２の前方には、上皿１１０から連通するように配置された球送り装置４００が設けられており、この球送り装置４００により、上皿１１０から供給された遊技球を、１つずつ発射装置１２の発射位置１２Ａに送り出すようになっている。なお、発射装置１２及び球送り装置４００の詳細については、後述する。
【００１９】
また、中枠３における発射装置１２の後方には、図２に示すように、発射制御装置としての発射制御基板１４を備えており、発射ハンドル２００，発射装置１２及び球送り装置４００と電気的に繋がっている。そして、この発射制御基板１４が、操作ハンドル２００からの信号を受けて、発射装置１２に遊技球の発射勢を決定する信号を送ると共に、球送り装置４００に対して発射装置１２の発射タイミングに合わせた球供給を行うように信号を送り、これにより、発射装置１２が発射勢を調整して遊技球を発射するように駆動制御している。
【００２０】
また、図２に示すように、中枠３の裏側最上段には、上方に開口した賞球タンク１５が固定されている。この賞球タンク１５は、台島から供給される遊技球を貯留すると共に後述する賞球払出装置１６に供給するものであり、その底面が傾斜した構造となっている。本実施の形態では、賞球タンク１５の底面は遊技機裏側から見て右側（遊技機正面から見て左側）に傾斜しており、その下流に遊技球を１列に整列させて後述する賞球払出装置１６に遊技球を送り出す通路を形成するタンクレール１７が取り付けられている。
【００２１】
また、図２に示すように、中枠３の裏側右端部（正面から見て左端部）には、上皿１１０に対して所定個数ずつ遊技球を払い出す賞球払出装置１６が取り付けられている。この賞球払出装置１６の中には、通過する遊技球を確認する球検出スイッチ（図示省略）や遊技球の払い出しを調節する払出ステッピングモータ（図示省略）等が内装されている。そして、これら賞球タンク１５，タンクレール１７及び賞球払出装置１６等により賞球及び貸球の払出システムが構成されている。
【００２２】
また、図２に示すように、中枠３の裏面側における下方には、裏面側から見て右側（正面から見て左側）に賞球払出装置１６を駆動制御する払出制御基板２０が配設されている。
【００２３】
次に、上皿１１０から発射装置１２への遊技球Ｐの供給に関する構成、及び、中枠３に対して前枠４を開放する際の発射装置１２付近の作用について、図３〜図１８を用いて説明する。
【００２４】
中枠３に配置された発射装置１２は、図３及び図４に示すように、上皿１１０から発射位置１２Ａに供給された遊技球Ｐを連続的に叩打する発射ソレノイド１２Ｃと発射槌１２Ｂを有している。そして、遊技者が操作ハンドル２００を回動操作することにより発射制御基板１４から送られた信号に基づき、発射位置１２Ａに供給された遊技球Ｐを、発射ソレノイド１２Ｃで駆動される発射槌１２Ｂで連続的に叩打するようになっている。このように当該発射槌１２Ｂによって遊技球Ｐを叩打することにより、発射槌１２Ｂの叩打方向の先にある発射レール１３に沿って遊技球Ｐが発射され、遊技領域６Ａへ向かうようになっている。
【００２５】
また、中枠３における発射装置１２の前方には、図３に示すように、上皿１１０から供給された遊技球Ｐを１つずつ、発射装置１２に対して送り出す球送り装置４００が配置されている。本実施の形態の球送り装置４００は、図５〜図１０に示すように、カセット状に形成されており、発射位置１２Ａの前方に、回動軸４０１を介して回動すると共に、係止部４０２で係止可能に構成されており、取り付け及び取り外し自在となっている。
【００２６】
また、図５及び図６に示すように、この球送り装置４００には、球送りソレノイド４０３を備えており、また、回動軸４０５を中心に回動可能なアーム部材４０４を備えている。このアーム部材４０４における球送りソレノイド４０３と対向する位置には磁石に引き寄せられる性質を有する鉄等の金属からなる板状部材４０６が配置されている。
【００２７】
そして、球送りソレノイド４０３に通電すると、発生した磁力で板状部材４０６を有するアーム部材４０４が球送りソレノイド４０３に引き寄せられ、その結果、図９及び図１０に示すように、アーム部材４０４が上方に移動するように回動するようになっている（図５及び図９における左回りに回転する）。また、球送りソレノイド４０３への通電を停止すると、発生していた磁力が消えて、図５及び図６に示すように、板状部材４０６を有するアーム部材４０４が自重で球送りソレノイド４０３から離れる方向である下方に移動するように回動するようになっている（図５及び図９における右回りに回転する）。
【００２８】
また、アーム部材４０４における回動軸４０５と反対側には、遊技球を保持する球受部４０７が形成されている。この球受部４０７は、後方に傾斜した構成となっており、また、アーム部材４０４の回動による上下動によって上下動するようになっている。さらに、球受部４０７の上方には、遊技球Ｐが１個入る高さを隔てて、アーム部材４０４と一体に形成された球止部４０８を有している。この球止部４０８は、後述する遊技球受入部４１０の受入孔４１１の遊技球Ｐが球受部４０７に転がり込まないように止めるものである。ここでは、球受部４０７と球止部４０８とで正面視略コ字状の遊技球Ｐを保持する空間を形成している。
【００２９】
また、球止部４０８のさらに右方向には、球止部４０８がなければ遊技球Ｐが通過可能な大きさ及び形状の開口を隔てて、前枠４の上皿１１０から後述する遊技球落下防止シャッタ５００を介して供給された遊技球Ｐを受け入れる遊技球受入部４１０が配置されている。この遊技球受入部４１０には、前枠４側から供給された遊技球Ｐが入る受入孔４１１を有しており、この受入孔４１１は、後方及び左方に傾斜した構成となっている。また、受入孔４１１における前枠４との対向面側（ここでは前面側）の周囲の所定位置（ここでは上方位置）に、後述する遊技球落下防止シャッタ５００の突出したシャッタ部５１０が入り込む凹部４１２が形成されている。また、受入孔４１１の奥側（後方）には、遊技球Ｐを前方及び下方に規制するリブ部材４１３が配置されている。このリブ部材４１３は、図７に示すように、前方から後方に向かって徐々に長くなるように傾斜した形状になっている。
【００３０】
また、遊技球受入部４１０のさらに右方には、後述する前枠４の遊技球落下防止シャッタ５００の開閉を行う突出片４２０を備えている。この突出片４２０は、図７に示すように、前方に向けて突出した形状となっており、さらに、下方部分を頂点として上方に向けて拡がるように傾斜した形状となっている。
【００３１】
そして、遊技球Ｐが遊技球受入部４１０の受入孔４１１に供給された場合、まず、受入孔４１１の後方への傾斜により遊技球Ｐが後方に移動し、リブ部材４１３に当接する。また、受入孔４１１の左方への傾斜により遊技球Ｐが左方に寄せられる。
【００３２】
また、このとき、球送りソレノイド４０３には通電していない状態で、図５及び図６に示すように、アーム部材４０４が下方に位置しており、これにより、受入孔４１１の左方の開口に球止部４０８が配置された状態となっている。これにより、遊技球Ｐは球止部４０８に当接した状態で、受入孔４１１に一旦留まる。
【００３３】
次に、発射制御基板１４からの信号により球送りソレノイド４０３に通電されると、図９及び図１０に示すように、アーム部材４０４が上方に移動する。これに伴い、球止部４０８が上方に移動し、遊技球Ｐが球受部４０７に通過可能な状態となる。ここで、遊技球Ｐは受入孔４１１の左方への傾斜により、球受部４０７に転がり込む。このとき、遊技球Ｐは球受部４０７の後方への傾斜により後方に移動するが、球送り装置４００の後方の壁に当接して停止する。
【００３４】
その後、発射制御基板１４からの信号により球送りソレノイド４０３の通電が停止されると、図５及び図６に示すように、再びアーム部材４０４が下方に移動する。これに伴い、球受部４０７が下方に移動し、後方に壁のない球出口４０９に球受部４０７が移動する。これにより、球受部４０７の後方への傾斜で遊技球Ｐが球出口４０９から後方の発射装置１２の発射位置１２Ａに送り出される。なお、このとき、同時に、前枠４側から遊技球Ｐが遊技球受入部４１０の受入孔４１１に供給される。
【００３５】
次に、球送り装置４００と対向する前枠４の後面側に配置された遊技球落下防止シャッタ５００について、図１１〜図１７を用いて説明する。この遊技球落下防止シャッタ（以下、シャッタと称する）５００は、中枠３に対して前枠４を開放したときに、上皿１１０から連通する球通路１１１を通って供給される遊技球Ｐを抑えて、遊技球Ｐがこぼれ落ちないようにするために、配置されるものである。このシャッタ５００は、図１１に示すように、前枠４の球送り装置４００と対向する対向面側である後面側における右側（図１１に示すように後方から見た場合の左側）に配置されており、前枠４を中枠３に対して閉じたときに、丁度、球送り装置４００の遊技球受入部４１０の受入孔４１１と対向する位置にシャッタ５００が配置されるようになっている。
【００３６】
また、このシャッタ５００は、図１２及び図１３に示すように、上下方向にスライド移動する横長部材５０１を備えており、この横長部材５０１は、図示しないバネ等の付勢手段によって下方に付勢されており、かつ、上下方向にスライド可能に構成されている。また、横長部材５０１の下側には、突出片当接部５０２が横方向に傾斜した形状に設けられており、中枠３に対して前枠４を閉じる際には、図１３及び図１５に示すように、この突出片当接部５０２に球送り装置４００の突出片４２０が丁度当接し、突出片４２０の傾斜した上面で、突出片当接部５０２を徐々に押し上げて、横長部材５０１を上方にスライド移動させ、中枠３と前枠４が完全に閉じた状態となったときには、図１３及び図１４に示すように、横長部材５０１が最も上方に移動した状態となるように構成されている。また、中枠３に対して前枠４を開放する際には、図１７に示すように、前枠４の開放度合いによって突出片４２０と突出片当接部５０２との当接が徐々に解除されることで、図１６に示すように、付勢手段によって横長部材５０１が前枠４の開放度合いに連動して下方にスライド移動し、中枠３と前枠４が完全に開放された状態となったときには、図１２に示すように、横長部材５０１が最も下方に移動した状態となるように構成されている。
【００３７】
また、横向部材５０１の端部下側（ここでは、図１２における右端部下側）に、シャッタ５００を閉めたときに遊技球Ｐと接触するシャッタ部５１０が形成されている。このシャッタ部５１０は、前枠４の後面よりも後方に突出するように形成されており、その下部には、シャッタ部５１０における遊技球Ｐの通過方向（遊技機の前後方向）との直交面（前枠４の後面と略平行な面）を略円弧形状に切り欠いた切欠部５１１が形成されている。また、この切欠部５１１は、図１４及び図１６に示すように、前枠４の前方に向かって（図１４及び図１６では、右から左に向かって）上方に傾斜したテーパ形状に形成されている。また、球送り装置４００の突出片４２０を当接させて押し込むことによる突出片当接部５０２の押し上げと、突出片４２０を突出片当接部５０２との当接状態から引き抜くことによる突出片当接部５０２の下方への移動によって、横長部材５０１がスライド移動することで、シャッタ部５１０が前枠４の開放度合いに連動して上下動するようになっている。
【００３８】
そして、中枠３と前枠４が完全に開いていて、突出片４２０が突出片当接部５０２に当接していないときには、シャッタ部５１０は、図１２及び図１４に示すように、遊技球Ｐが通過不可能なように下方の閉状態に位置するようになっている。
【００３９】
また、中枠３と前枠４が完全に閉じていて、突出片４２０によって突出片当接部５０２及び横長部材５０１が上方に押し上げられているときには、シャッタ部５１０は、図１３に示すように、遊技球Ｐが通過可能なだけ上方の開状態に位置するようになっている。このとき、シャッタ部５１０の切欠部５１１が遊技球Ｐの通過には邪魔にならないが、遊技球Ｐが左右にぶれたときには当接する程度の位置に係止しており、これにより、遊技球Ｐが球送り装置４００の遊技球受入部４１０の受入孔４１１に対して真っ直ぐ転がるように、切欠部５１１でガイドするように構成されている。また、シャッタ５００におけるシャッタ部５１０の下部が略円弧形状に切り欠かれた切欠部５１１となっているため、遊技球Ｐの通過可能位置と通過不可能位置との差が少なくて済み、前枠４を開きかけたときに、すぐに遊技球Ｐを通過不可能な状態にすることができ、遊技球Ｐのこぼれ落ちを防止することができる。
【００４０】
また、中枠３と前枠４が完全に閉じた状態から、中枠３に対して前枠４が開放されつつあるときには、シャッタ部５１０が前枠４の開放度合いに連動して上方の開状態から下方の閉状態に移動していく。その際に、上皿１１０から供給されて切欠部５１１の下方に存在する遊技球Ｐは、図１６に示すように、切欠部５１１が遊技球Ｐに接触した後、さらに切欠部５１１が、図１３に示すように、下方の閉状態に移動することで、シャッタ部５１０の上流側に引き戻されるようになっている。なお、シャッタ部５１０が前枠４の開放度合いに連動して閉じていくときに、遊技球Ｐを上流側に引き戻す際の詳しい作用については後述する。
【００４１】
また、中枠３の球送り装置４００の遊技球受入部４１０と前枠４のシャッタ５００のシャッタ部５１０との関係について説明すると、図１４に示すように、中枠３に対して前枠４が完全に閉じたときに、中枠３の球送り装置４００の遊技球受入部４１０の受入孔４１１の前枠４との対向面（ここでは前面）における周囲の所定位置（ここでは上方位置）に設けられた凹部４１２に、前枠４のシャッタ５００のシャッタ部５１０が入り込むように、凹部４１２及びシャッタ部５１０の双方の大きさ及び形状が決定されている。このような関係になっていると、中枠３に対して前枠４が開きかけたときに、図１６及び図１８に示すように、中枠３の遊技球受入部４１０の凹部４１２に、前枠４のシャッタ部５１０が入り込んでいる状態から少し外れた状態で留まるので、シャッタ部５１０が突出しておらず、また、凹部４１２が形成されておらずに遊技球受入部４１０が面一で構成されていて、シャッタ部５１０が入り込ない場合に比べて、中枠３に対して前枠４が開きかけている状態時に、前枠４のシャッタ５００のシャッタ部５１０の脇から遊技球Ｐがこぼれ落ちてしまう不具合を防止することができる。
【００４２】
また、通常、遊技球Ｐは前枠４側から中枠３側に連続して供給されるようになっているが、中枠３に対して前枠４を開こうとしたときに、図１６に示すように、１個目の遊技球Ｐが中枠３の球送り装置４００の遊技球受入部４１０の受入孔４１１に入っており、２個目の遊技球Ｐがそれに続いているとき、前枠４の開き方とシャッタ５００の閉じ方によっては、当該２個目の遊技球Ｐが、受入孔４１１に入ることができず、かつ、シャッタ５００から後方に押し出されてしまい、結果的に遊技球Ｐが１個こぼれ落ちてしまう、という場合が考えられる。
【００４３】
これに対し、本実施の形態では、中枠３の球送り装置４００の遊技球受入部４１０の受入孔４１１の奥側に形成されたリブ部材４１３で、受入孔４１１に入った１個目の遊技球Ｐを前方に規制することで、１個目に続く２個目の遊技球Ｐの位置を前枠４側に規制し、さらに、遊技球受入部４１０に凹部４１２が形成され、当該凹部４１２に入り込むように前枠４側のシャッタ５００のシャッタ部５１０が前枠４の後面から突出している。このため、図１６に示すように、前枠４が開きかけるタイミングに合わせて、シャッタ５００のシャッタ部５１０が、リブ部材４１３によって前方に規制された２個目の遊技球Ｐの前後方向における中央よりも後方側に当接するようにすることができる。さらに、本実施の形態では、シャッタ５００のシャッタ部５１０の下部に、シャッタ部５１０における遊技球Ｐの通過方向との直交面（前枠４の後面と略平行な面）を略円弧形状に切り欠いた切欠部５１１が形成されているため、シャッタ部５１０の下部が直線形状で遊技球Ｐに１点で接触するものより、遊技球Ｐに接触する面積が増加し、遊技球Ｐに力が掛け易くなって遊技球Ｐを誘導し易くなっている。また、本実施の形態では、シャッタ５００のシャッタ部５１０の下部の切欠部５１１が、前枠４の前方に向かって上方に傾斜したテーパ形状に形成されているため、遊技球Ｐが前枠４の前方側に転がり易くなるように押えることができ、より遊技球Ｐを前枠４の前方側に押し戻し易くなっている。これにより、２個目の遊技球Ｐを確実に前枠４側のシャッタ５００内に押し戻すことができるようになっており、その結果、遊技球Ｐがこぼれ落ちることを防止できるようになっている。
【００４４】
以上のように、本実施の形態のパチンコ遊技機（弾球遊技機）１は、中枠（本体枠）３と、該中枠（本体枠）３に対して開閉可能に取り付けられた前枠（ベース部材）４と、を備え、前記中枠（本体枠）３に、遊技球Ｐを遊技領域６Ａに向けて発射する発射装置１２と、該発射装置１２に遊技球Ｐを１つずつ送り出す球送り装置４００をと、備え、前記前枠（ベース部材）４に、遊技球Ｐを貯留すると共に前記球送り装置４００を介して前記発射装置１２に遊技球Ｐを供給する上皿（球受け皿）１１０を備えたパチンコ遊技機（弾球遊技機）１において、前記球送り装置４００と対向する前記前枠（ベース部材）４の後面（対向面）側に、前記中枠（本体枠）３に対して前記前枠（ベース部材）４を開放したときに、前記上皿（球受け皿）１１０から供給される遊技球Ｐを抑える遊技球落下防止シャッタ５００が設けられており、該遊技球落下防止シャッタ５００は、遊技球Ｐと接触するシャッタ部５１０が、上下動する構成となっており、かつ、前記シャッタ部５１０の下部に、該シャッタ部５１０における前枠４の後面と略平行な面（遊技球Ｐの通過方向との直交面）を略円弧形状に切り欠いた切欠部５１１を有しており、前記中枠（本体枠）３に対して前記前枠（ベース部材）４が閉じられているときには、前記シャッタ部５１０が上方の開状態にあって、前記切欠部５１１の下方を遊技球Ｐが通過可能となっており、前記中枠（本体枠）３に対して前記前枠（ベース部材）４が開放されつつあるときには、前記シャッタ部５１０が前記前枠（ベース部材）４の開放度合いに連動して上方の開状態から下方の閉状態に移動していき、その際に、前記切欠部５１１の下方に存在する遊技球Ｐは、当該切欠部５１１が遊技球Ｐに接触して下方の閉状態に移動することで、前記シャッタ部５１０の上流側に引き戻されるようになっており、前記中枠（本体枠）３に対して前記前枠（ベース部材）４が開放されているときには、前記シャッタ部５１０が下方の閉状態にあって遊技球Ｐが通過不可能となっているパチンコ遊技機（弾球遊技機）１としたことを特徴とする。
【００４５】
そして、本実施の形態によれば、球送り装置４００と対向する前枠（ベース部材）４の後面（対向面）側に、中枠（本体枠）３に対して前枠（ベース部材）４を開放したときに、上皿（球受け皿）１１０から供給される遊技球Ｐを抑える遊技球落下防止シャッタ５００が設けられており、この遊技球落下防止シャッタ５００における遊技球Ｐと接触するシャッタ部５１０が前枠（ベース部材）４の開放度合いに連動して上下動し、かつ、シャッタ部５１０の下部に前枠４の後面と略平行な面（遊技球Ｐの通過方向との直交面）を略円弧形状に切り欠いた切欠部５１１を有しているため、シャッタ部５１０の少ない移動幅で遊技球Ｐの通過可能状態と通過不可能状態を構成することができ、その結果、中枠（本体枠）３に対する前枠（ベース部材）４の開放度合いが小さいうちから確実に遊技球Ｐがこぼれ落ちない状態にすることができる。また、中枠（本体枠）３に対して前枠（ベース部材）４が開放しかけているときに、シャッタ５００より球送り装置４００側に飛び出しかけている遊技球Ｐを、シャッタ部５１０で前枠（ベース部材）４側に引き戻す際に、略円弧形状に切り欠かれた、より大きな接触面をもって遊技球Ｐに接触することができるため、小さな力で確実に遊技球Ｐを前枠（ベース部材）４側に引き戻すことができ、これにより、より確実に遊技球Ｐがこぼれ落ちない状態にすることができる。さらに、中枠（本体枠）３と前枠（ベース部材）４が閉じた状態でシャッタ５００のシャッタ部５１０が開いているときには、このシャッタ部５１０の下部の略円弧形状の切欠部５１１が遊技球Ｐの誘導部材の役割を果たし、遊技球Ｐを１列で確実に球送り装置４００に供給することができる。
【００４６】
また、本実施の形態のパチンコ遊技機（弾球遊技機）１は、中枠（本体枠）３と、該中枠（本体枠）３に対して開閉可能に取り付けられた前枠（ベース部材）４と、を備え、前記中枠（本体枠）３に、遊技球Ｐを遊技領域６Ａに向けて発射する発射装置１２と、該発射装置１２に遊技球Ｐを１つずつ送り出す球送り装置４００と、を備え、前記前枠（ベース部材）４に、遊技球Ｐを貯留すると共に前記球送り装置４００を介して前記発射装置１２に遊技球Ｐを供給する上皿（球受け皿）１１０を備えたパチンコ遊技機（弾球遊技機）１において、前記球送り装置４００と対向する前記前枠（ベース部材）４の後面（対向面）側に、前記中枠（本体枠）３に対して前記前枠（ベース部材）４を開放したときに、前記上皿（球受け皿）１１０から供給される遊技球Ｐを抑える遊技球落下防止シャッタ５００が設けられており、該遊技球落下防止シャッタ５００は、遊技球Ｐと接触するシャッタ部５１０を有しており、前記中枠（本体枠）３における前記シャッタ部５１０と対向する位置に、前記球送り装置４００において前記上皿（球受け皿）１１０から供給された遊技球Ｐを受け入れる受入孔４１１を有する遊技球受入部４１０が配置されており、該遊技球受入部４１０の前記前枠（ベース部材）４との対向面側には、前記中枠（本体枠）３に対して前記前枠（ベース部材）４を閉じたときに、前記シャッタ部５１０が入り込む凹部４１２が設けられており、前記中枠（本体枠）３に対して前記前枠（ベース部材）４が閉じられているときには、前記シャッタ５１０部が、前記凹部４１２に入り込み、かつ、開状態にあって遊技球Ｐが通過可能となっており、前記中枠（本体枠）３に対して前記前枠（ベース部材）４が開放されつつあるときには、前記シャッタ部５１０が、前記前枠（ベース部材）４の開放度合いに連動して、入り込んだ前記凹部４１２から徐々に抜けつつ開状態から閉状態に移動していき、前記中枠（本体枠）３に対して前記前枠（ベース部材）４が開放されたときには、前記シャッタ部５１０が、前記凹部４１２から抜け、かつ、閉状態にあって遊技球Ｐが通過不可能となるパチンコ遊技機（弾球遊技機）１としたことを特徴とする。
【００４７】
そして、本実施の形態によれば、球送り装置４００と対向する前枠（ベース部材）４の後面（対向面）側に、中枠（本体枠）３に対して前枠（ベース部材）４を開放したときに球受け皿１１０から供給される遊技球Ｐを抑え、シャッタ部５１０を有する遊技球落下防止シャッタ５００が設けられており、中枠（本体枠）３の球送り装置４００におけるシャッタ部５１０と対向する位置に、遊技球Ｐを受け入れる受入孔４１１と前枠（ベース部材）４を閉じたときにシャッタ部５１０が入り込む凹部４１２を有する遊技球受入部４１０が配置されており、シャッタ部５１０が、前枠（ベース部材）４の開放度合いに連動して、入り込んだ凹部４１２から徐々に抜けつつ開状態から閉状態に移動していくようになっているため、中枠（本体枠）３に対する前枠（ベース部材）４の開放度合いが小さくてシャッタ部５１０が閉じきらないときに、シャッタ部５１０が遊技球受入部４１０の凹部４１２に入り込むようになっていることで、シャッタ５００と球送り装置４００との間に遊技球Ｐが通過可能な隙間を形成しないようにして、遊技球Ｐのこぼれ落ちを確実に防止することができる。
【００４８】
なお、以上説明した実施の形態は、本発明の理解を容易にするために記載されたものであって、本発明を限定するために記載されたものではない。
【００４９】
例えば、前記した実施の形態では、パチンコ遊技機を用いて説明したが、これに限るものではなく、本発明は、雀球遊技機やアレンジボール等の他の弾球遊技機にも適用可能である。
【００５０】
また、前記した実施の形態では、ベース部材として、本体枠に対して遊技領域を臨む透明板を備えた上側部分と上皿ユニットを備えた下側部分が一体化した前枠が一体的に開閉するパチンコ遊技機を例に説明したが、これに限るものではない。例えば、本体枠に対して、遊技領域を臨む透明板を備えた上部の前枠部材と、上皿ユニットを備えたベース部材としての下部の下側部材とが、別々に開閉するように取り付けられている弾球遊技機であっても良い。
【００５１】
また、前記した実施の形態では、シャッタ部が上下動するようになっていたが、これに限るものではなく、他の構成と適合するものであれば、シャッタ部が横方向等の他の方向に移動して開閉するものであっても良い。
【符号の説明】
【００５２】
１…パチンコ遊技機（弾球遊技機）、３…中枠（本体枠）、４…前枠（ベース部材）、６Ａ…遊技領域、１２…発射装置、１１０…上皿（球受け皿）、４００…球送り装置、４１０…遊技球受入部、４１１…受入孔、４１２…凹部、５００…遊技球落下防止シャッタ、５１０…シャッタ部、Ｐ…遊技球
【図１】
2014230721.tif 000003
【図２】
2014230721.tif 000004
【図３】
2014230721.tif 000005
【図４】
2014230721.tif 000006
【図５】
2014230721.tif 000007
【図６】
2014230721.tif 000008
【図７】
2014230721.tif 000009
【図８】
2014230721.tif 000010
【図９】
2014230721.tif 000011
【図１０】
2014230721.tif 000012
【図１１】
2014230721.tif 000013
【図１２】
2014230721.tif 000014
【図１３】
2014230721.tif 000015
【図１４】
2014230721.tif 000016
【図１５】
2014230721.tif 000017
【図１６】
2014230721.tif 000018
【図１７】
2014230721.tif 000019
【図１８】
2014230721.tif 000020